(57)【特許請求の範囲】
【請求項１】
男子が腰掛便器の前に立ち小用する際に、排尿・尿切りで尿が飛散し便器周りを汚すことを防止し且つ排尿器具の汚れを洗浄する男性用排尿補助具において、排尿時の尿の飛散防止と尿受け及び排尿誘導をする誘導体（１）と、該誘導体（１）の汚れを洗浄する洗浄体（２）を分離し、前記誘導体（１）は、尿受け・尿切りができる筒部（１ａ）と、排尿を誘導するロート状部（１ｂ）と、排尿を便器内に排出する排出部（１ｃ）と、前記筒部（１ａ）の外周にストッパー（１ｄ）と、把手（１ｅ）を具備し、前記洗浄体（２）は、外郭体（２Ａ）内に遮水手段（３）を収容し貯水し、前記外郭体（２Ａ）は、二つの口径が異なる中空筒を同一軸線上で一体形成し、一方の中空筒より口径が大きい中空筒の小口部に反力蓋（２Ａｄ）を装着可能にした大径筒体（２Ａａ）と、該大径筒体（２Ａａ）より口径が小さい小径筒体（２Ａｂ）と、二つの筒体の連結箇所である連結形成部（２Ａｃ）と、前記反力蓋（２Ａｄ）の中央部に、蓋（２Ａｆ）を装着可能にした給水口（２Ａｅ）と、前記大径筒体（２Ａａ）の外壁に具備した把手（２Ａｈ）と、前記大径筒体（２Ａａ）の小口と前記反力蓋（２Ａｄ）との接面に第一止水材（２ｍ）と、前記給水口（２Ａｅ）の小口と前記蓋（２Ａｆ）との接面に第二止水材（２ｎ）を具備し、前記遮水手段（３）は、前記外郭体（２Ａ）に収容される前記遮水手段（３）の基板（３ａ）上面に具備する複数の突起（３ｂ）と、前記基板（３ａ）に上載する弾性体（３ｅ）と、前記基板（３ａ）底面に具備する複数の爪（３ｃ）と、前記基板（３ａ）底面に遮水部材（３ｄ）を具備し、前記小径筒体（２Ａｂ）内に収容された遮水手段（３）の前記爪（３ｃ）を前記誘導体（１）の前記筒部（１ａ）で押し上げるとき、前記ストッパー（１ｄ）で押し上げ高さを制御可能としたことを特徴とする男性用排尿補助具。
【発明の詳細な説明】
【技術分野】
【０００１】
本発明は、男性の排尿・尿切りによる飛散防止と排尿で汚れる補助具の洗浄に関するものである。
【背景技術】
【０００２】
従来、腰掛便器の前に立つ男子の排尿方法で、排尿・尿切りによる飛散防止のため尿の誘導・排出と不使用時の補助具を保持する技術（例えば、特許文献１参照。）や、尿受け具や誘導具で尿を排出し且つ誘導具を洗浄する技術（例えば、特許文献２参照。）が提案されている。
【先行技術文献】
【特許文献】
【０００３】
【特許文献１】特開平１１−２１００４９ 公報
【特許文献２】特開２００７−３０３０８４ 公報
【発明の概要】
【発明が解決しようとする課題】
【０００４】
前期記載の特許文献１では、排尿補助具本体を使用した後の洗浄方法がなく、つぎに特許文献２では器具が大きく狭いトイレ空間での設置は圧迫感があり、また借家住まいの男性にとっては転居による補助具の撤去及び設置工事に煩わしさを感じる。
【課題を解決するための手段】
【０００５】
課題を解決する本発明は、請求項１記載の誘導体１と洗浄体２を分離し、小径筒体２Ａｂに誘導体１の筒部１ａを挿入し該筒部１ａの小口で遮水手段３の複数の爪３ｃを押し上げて、水を流出させ誘導体１を洗浄する特徴の補助具である。
【発明の効果】
【０００６】
本発明は、誘導体１と洗浄体２を分離することで、排尿時の誘導体１は軽量で使い易いため常時使用するようになる。
【０００７】
また洗浄体２による洗浄は、誘導体１にストッパ−１ｄを具備することで洗浄体２の水を節約し一回の給水で複数回洗浄でき、洗浄体２の給水の煩わしさを減少させ、自ずと排尿と洗浄が一連の平易な動作になる。
【図面の簡単な説明】
【０００８】
【図１】誘導体の斜視図。
【図２】誘導体のＸ−Ｘａ断面図。
【図３】洗浄体の斜視図。
【図４】満水時洗浄体のＹ−Ｙａ断面図。
【図５】洗浄時の誘導体と洗浄体の断面図。
【図６】遮水手段の投影図（上より平面、正面、底面）。
【図７】遮水材の斜視図。
【発明を実施するための最良の形態】
【０００９】
以下、本発明の好ましい実施の形態を、図を参考に説明する。
【００１０】
図１と図２で、小径筒体２Ａｂ内に収容された遮水手段３の爪３ｃを誘導体１の筒部
１ａで押し上げるとき、押し上げ高さを制御するために誘導体１の外周にストッパ−１ｄを具備し、誘導体１を持つための把手１ｅもストッパ−１ｄと同じ高さに具備する。
【００１１】
つぎに誘導体１の長さは１５０〜２５０ミリで部材厚は１〜２ミリであり、材料は硬質合成樹脂製とする。
【００１２】
さらに誘導体１の排出部１ｃの外径サイズを１８ミリとし、内径１８ミリの軟質合成樹脂管を接続可能にし、一箇所の便器に使用者複数時は排出部１ｃに各自の身長に比例した長さの軟質合成樹脂管を誘導体１に接続し使用できるようにした。  
【００１３】
なお、誘導体１の本体は軽量だが幼児は手で掴むことが出来ないため把手１ｅを具備し幼児でも持てる構造とし、材料は硬質合成樹脂製で部材厚は１〜２ミリとする。
【００１４】
図３と図４で、洗浄前に洗浄体２の貯水残量を確認するには外郭体２Ａは透明か半透明が良く、洗浄体２の貯水力保持方法は圧縮された弾性体３ｅの復元力に耐えうる強固さが必要で、大径筒体２Ａａと、小径筒体２Ａｂと、連結形成部２Ａｃと、反力蓋２Ａｄと、把手２Ａｈの材料は硬質合成樹脂で部材厚は２〜３ミリとし、蓋２Ａｆの材料は合成樹脂で部材厚は１〜２ミリとする。  
【００１５】
つぎに、洗浄体２の漏水防止のため第一止水材２ｍを接着した反力蓋２Ａｄを大口径筒体２Ａａに、また第二止水材２ｎを接着した蓋２Ａｆを給水口２Ａｅにそれぞれ装着するが、第一・第二止水材の材料は軟質合成樹脂製かゴム製で部材厚は１〜２ミリとする。
【００１６】
つぎに、弾性体３ｅは常に浸水状態のため耐腐蝕を考慮してステンレス製とし、鋼棒の直径は３〜５ミリとする。
【００１７】
図５は洗浄時、外郭体２Ａ内の遮水体３の複数の爪３ｃを誘導体１の筒部１ａで押し上げた状態で、最大押し上げ時に複数の爪３ｃの下端が連結形成部２Ａｃの位置より上に出ない高さとし、誘導体１のストッパー１ｄと把手２Ａｈの位置は筒部１ａの小口より１０〜１５ミリ下の位置に具備する。  
【００１８】
つぎに、誘導体１の筒部１ａを小径筒体２Ａｂに挿入し、遮水手段３の複数の爪３ｃを押し上げる。故に誘導体１の筒部１ａの口径サイズが浄水体２の小口径筒体２Ａｂの口径サイズを決定付ける。小径筒体２Ａｂの口径サイズが大きくなれば浄水体２も大きくなり浄水体２の重量も増す、したがって幼児でも持てる浄水体２にするには、誘導体１の筒部１ａの口径サイズは５０〜６０ミリがよいと思われる。
【００１９】
なお、遮水手段３の爪３ｃが部材厚１〜２ミリの筒部１ａの小口と接触する該爪３ｃの当接面の長さは２〜３ミリとする。
【００２０】
図６・図７で、基板３ａの直径は大径筒体２Ａａの内径より１０〜２０ミリ小さい直径で、基板３ａと複数の突起３ｂと複数の爪３ｃは一体形成され、部材厚は２〜３ミリの硬質合成樹脂製とする。
【００２１】
なお、基板３ａに接着具備する遮水材３ｄの幅は５〜８ミリ、厚さは２〜３ミリのゴム製か軟質合成樹脂製とする。
【符号の説明】
【００２２】
１  誘導体
１ａ  筒部
１ｂ  ロート状部
１ｃ  排出部
１ｄ  ストッパー
１ｅ  把手
２  洗浄体
２Ａ  外郭体
２Ａａ  大径筒体
２Ａｂ  小径筒体
２Ａｃ  連結形成部
２Ａｄ  反力蓋
２Ａｅ  給水口
２Ａｆ  蓋
２Ａｈ  把手
２ｍ  第一止水材
２ｎ  第二止水材
３  遮水手段
３ａ  基板
３ｂ  突起
３ｃ  爪
３ｄ  遮水材
３ｅ  弾性体
【要約】
【課題】  男子が小用の際に尿の飛散による自身や便器周囲を汚すことなく小用出来るような排尿補助具を提供する。
【解決手段】  小用の際に尿を受けて便器に誘導排出する誘導体１と、尿により汚れた該誘導体１を洗浄する洗浄体２からなり、排尿後便器の真上で誘導体１の筒部１ａを洗浄体２の小口径筒体２Ａｂに挿入し誘導体１を洗浄する排尿補助具である。
【選択図】  図５【図１】
0004787373.tif 000002
【図２】
0004787373.tif 000003
【図３】
0004787373.tif 000004
【図４】
0004787373.tif 000005
【図５】
0004787373.tif 000006
【図６】
0004787373.tif 000007
【図７】
0004787373.tif 000008